(57)【要約】【課題】  ＣＭを見なければ、番組を視聴できないようにする。【解決手段】  符号化装置２０は番組バンク１２からの番組を圧縮符号化し、符号化装置２２はＣＭバンク１４からのＣＭを圧縮符号化する。暗号化装置３２はスクランブル鍵Ｋｓをワーク鍵Ｋｗにより暗号化し、暗号化装置３４は暗号化スクランブル鍵Ｋｓをマスタ鍵Ｋｍにより暗号化する。映像スクランブル装置３８はスクランブル鍵Ｋｓにより符号化装置２０の出力をスクランブルする。多重装置４０は装置３８の出力に装置３２，３４の出力を多重し、その出力はバッファメモリ４４を介して合成装置５０に印加される。電子透かし作成装置３６は装置３２，３４の出力から電子透かしデータを生成し、挿入器４６が電子透かしを符号化装置２２の出力に挿入する。挿入器４６の出力はバッファメモリ４８を介して合成装置５０に印加される。【選択図】  図１
2005051514.tif 000002
【特許請求の範囲】
【請求項１】
鍵情報を埋め込んだ第１の情報の後、当該鍵情報で暗号化された第２の情報を送信する送信装置と、
当該第１の情報から当該鍵情報を抽出し、当該暗号化された第２の情報を当該鍵情報で解読する受信装置
とを具備することを特徴とする情報伝送システム。
【請求項２】
当該第１及び第２の情報は、デジタル放送される請求項１に記載の情報伝送システム。
【請求項３】
当該第１の情報がＣＭデータからなり、当該第２の情報が番組情報からなる請求項２に記載の情報伝送システム。
【請求項４】
当該鍵情報が、電子透かしとして当該第１の情報に埋め込まれている請求項１に記載の情報伝送システム。
【請求項５】
鍵情報を埋め込んだ第１の情報を生成し、
当該鍵情報で第２の情報を暗号化し、
当該鍵情報を埋め込んだ当該第１の情報の後に、当該鍵情報で暗号化された第２の情報を送信し、
受信した当該第１の情報から当該鍵情報を抽出し、
受信した当該暗号化された第２の情報を抽出した当該鍵情報で解読する
ことを特徴とする情報伝送方法。
【請求項６】
当該第１の情報がＣＭデータからなり、当該第２の情報が番組情報からなる請求項５に記載の情報伝送方法。
【請求項７】
当該鍵情報が、電子透かしとして当該第１の情報に埋め込まれている請求項５に記載の情報伝送方法。
【発明の詳細な説明】
【技術分野】
【０００１】
本発明は、情報伝送システム及び方法に関し、より具体的には、例えば、暗号化されたデジタル放送信号及びその解読鍵を不特定多数の視聴者に送信する放送システムに適用可能な情報伝送システム及び方法に関する。
【背景技術】
【０００２】
従来、放送信号に番組スポンサからの提供情報（コマーシャル等）を含む放送の場合、提供情報送出中に視聴者が受信チャンネルを変更したり、ＶＴＲなどの記録再生装置に記録する際に提供情報（コマーシャル等）をカットしながらＶＴＲなどの記録再生装置に記録したり、全部を記録しつつも、再生時に提供情報をスキップすることがある。これらの場合には、番組提供者からの提供情報が視聴者に伝わらない。
【０００３】
記録再生装置への録画により、著作権法上の問題が発生する。デジタル放送では、基本的に画質の劣化が生じないので、この問題がより顕著になる。
【０００４】
図４は、従来のデジタル放送信号伝送システムの概略構成ブロック図を示す。送信装置１１０では、切換え装置１１６は、所定のタイムテーブルに従って番組情報１１２又はＣＭ情報１１４を選択して、記憶装置１１８に書き込む。即ち、切換え装置１１６は、番組情報とＣＭ情報を時間軸上で多重する。符号化器１２０は、記憶装置１１８の記憶情報を順に読み出して、ＭＰＥＧ方式で圧縮符号化する。
【０００５】
映像スクランブル装置１２２は、スクランブル鍵Ｋｓに従い、符号化器１２０の出力、即ち、ＭＰＥＧ符号化映像データを暗号化する。暗号化装置１２４は、スクランブル鍵Ｋｓをワーク鍵Ｋｗにより暗号化し、暗号化されたスクランブル鍵Ｋｓを共通情報として多重化装置１２８に印加する。別の暗号化装置１２６は、ワーク鍵Ｋｗを受信装置（セットトップボックス）毎に割り当てられたマスタ鍵Ｋｍにより暗号化し、暗号化されたワーク鍵を個別情報として多重化装置１２８に印加する。
【０００６】
多重化装置１２８は、映像スクランブル装置からのスクランブルされた映像情報と、暗号化装置１２４からの共通情報（暗号化されたスクランブル鍵Ｋｓ）及び暗号化回路１２６からの個別情報（暗号化されたワーク鍵）を多重化して、伝送路１３０に出力する。
【０００７】
受信装置１４０は、送信装置１１０から伝送路１３０に出力された情報を受信する。分離装置１４２は、映像情報、共通情報及び個別情報を分離し、個別情報を暗号解読器１４４に、共通情報を暗号解読器１４６に、映像情報を映像ディスクランブル装置１４８にそれぞれ印加する。暗号解読器１４４は、内部に保持するマスタ鍵Ｋｍを使用して個別情報を解読し、解読されたワーク鍵Ｋｗを暗号解読器１４６に印加する。暗号解読器１４６は、暗号解読器１４４により解読されたワーク鍵Ｋｗを使用して共通情報を解読し、解読されたスクランブル鍵Ｋｓを映像ディスクランブル装置１４８に印加する。映像ディスクランブル装置１４８は、暗号解読器１４６からのスクランブル鍵Ｋｓを使って分離装置１４２からの映像情報をディスクラブルし、ＭＰＥＧ符号化された映像情報を出力する。復号化装置１５０は、ディスクランブル装置１４８からのＭＰＥＧ符号化された映像情報を復号化し、標準形式の映像信号を出力する。
【発明の開示】
【発明が解決しようとする課題】
【０００８】
従来システムでは、不特定多数の視聴者に対して、ＣＭ情報を付加して映画などの番組を送る場合、その意図するＣＭ情報が確実に再生されるかどうかは不明である。例えば、複製装置により複製され、その間にＣＭ情報がカットされてしまうこともある。
【０００９】
本発明は、このような不都合を解消し、番組提供者の提供情報の再生を確保する情報伝送システム及び方法を提示することを目的とする。
【課題を解決するための手段】
【００１０】
本発明に係る情報伝送システムは、鍵情報を埋め込んだ第１の情報の後、当該鍵情報で暗号化された第２の情報を送信する送信装置と、当該第１の情報から当該鍵情報を抽出し、当該暗号化された第２の情報を当該鍵情報で解読する受信装置とを具備することを特徴とする。
【００１１】
本発明に係る情報伝送方法は、鍵情報を埋め込んだ第１の情報を生成し、当該鍵情報で第２の情報を暗号化し、当該鍵情報を埋め込んだ当該第１の情報の後に、当該鍵情報で暗号化された第２の情報を送信し、受信した当該第１の情報から当該鍵情報を抽出し、受信した当該暗号化された第２の情報を抽出した当該鍵情報で解読することを特徴とする。
【発明の効果】
【００１２】
本発明によれば、番組視聴者は必ず提供情報（ＣＭ）を再生しなくては次の区間の暗号化を解くためのスクランブル鍵Ｋｓを得ることができない。また、このストリームが他の記録媒体にダビングされた場合においても再生時には必ず提供情報（ＣＭ）を再生する必要があるので、番組提供者の、ＣＭを見せる目的を確実に達成できる。
【発明を実施するための最良の形態】
【００１３】
以下、図面を参照して、本発明の実施例を詳細に説明する。
【００１４】
図１は、本発明の一実施例の概略構成ブロック図を示す。送信装置１０は、番組バンク１２から所望の番組を読み出し、ＣＭバンク１４から所望のＣＭを読み出す。符号化装置２０は、番組バンク１２から読み出された番組を圧縮符号化し、符号化装置２２は、ＣＭバンク１４から読み出されたＣＭを圧縮符号化する。制御装置２４が、符号化装置２０，２２及び、送信装置１０内の後述するブロックを制御する。
【００１５】
鍵発生装置２６は、予め決められた時間毎に、任意またはランダムに変更されるスクランブル鍵Ｋｓを発生する。鍵発生装置２８はワーク鍵Ｋｗを発生し、鍵発生装置３０は、受信者を特定するマスタ鍵Ｋｍを発生する。暗号化装置３２は、鍵発生装置２６からのスクランブル鍵Ｋｓを鍵発生装置２８からのワーク鍵Ｋｗにより暗号化し、暗号化されたスクランブル鍵Ｋｓを共通情報として暗号化装置３４及び電子透かし作成装置３６に印加し、切換え回路４２を介して多重装置４０に印加する。暗号化装置３４は、暗号化されたスクランブル鍵Ｋｓを鍵発生装置３０からのマスタ鍵Ｋｍにより暗号化し、個別情報として電子透かし作成装置３６及び多重装置４０に印加する。
【００１６】
不特定多数の受信端末に対して番組を提供する場合には、マスタ鍵Ｋｍによるワーク鍵Ｋｗの暗号化を行わないか、又は、予め受信端末に共通に与えられた個別のマスタ鍵とは別のマスタ鍵を利用してワーク鍵Ｋｗを暗号化する。
【００１７】
映像スクランブル装置３８は、鍵発生装置２６からのスクランブル鍵Ｋｓにより、符号化装置２０からの圧縮番組データをスクランブルして、多重化装置４０に印加する。多重装置４０は、映像スクランブル装置３８の出力に共通情報を多重化し、所定のタイミングで、更に個別情報も多重化する。多重化装置４０で多重された情報は、バッファメモリ４４を介して合成装置５０に印加される。
【００１８】
受信者を限定する通常の受信者限定送信の場合、多重化装置４０は、スクランブルされた圧縮番組データに共通情報と個別情報を多重化する。受信者を限定しない場合、映像スクランブル装置３８は圧縮番組データをスクランブルしない。
【００１９】
電子透かし作成装置３６は、暗号化装置３２からの共通情報（暗号化されたスクランブル鍵Ｋｓ）及び暗号化装置３４からの個別情報（暗号化されたワークか鍵）から、ＣＭ情報に重畳する電子透かしデータを作成する。電子透かし挿入装置４６は、符号化装置２２の出力（符号化されたＣＭ情報）に電子透かし作成装置３６により作成された電子透かしを挿入又は重畳する。電子透かし挿入装置４６により電子透かしを挿入された圧縮ＣＭ情報は、バッファメモリ４８を介して合成装置５０に印加される。
【００２０】
合成装置５０は、バッファメモリ４４からの情報の時間的前にバッファメモリ４６からのからの情報を配置するように、両情報を合成、即ち、時分割多重して、出力する。
【００２１】
図２は、本実施例より送信される番組データ及び提供情報（ＣＭデータ）の時系列での変化の様子を示す。番組情報の間に適当な間隔で提供情報が挿入される。番組情報はスクランブルされるが、提供情報は、スクランブルされずに平文で送信される。提供情報は、その後に続く暗号化された番組データの解読するための共通情報及び個別情報を電子透かし情報として挿入されている。従って、番組データを視聴するには、直前の提供情報を再生する必要がある。
【００２２】
図３は、受信装置の概略構成ブロック図を示す。受信装置６０の分離装置６２に、図１の合成装置５０の出力データを含むストリームデータが入力する。分離装置６２は、入力データから所望のチャンネルのデータを抽出し、切換え装置６４に印加する。切換え装置６４は、通常の限定受信用放送かＣＭ付きの放送かを識別し、通常の限定受信用放送の場合には、分離装置６２からのデータを鍵分離装置７２に供給し、ＣＭ付きの放送の場合には、分離装置６２の出力データの内の番組情報部分を鍵分離装置７２に供給し、提供情報部分を電子透かし検出器６８に供給する。
【００２３】
切換え装置６４はまた、必要により、分離装置６２の出力データを記録再生装置６６に印加する。記録再生装置は、入力データをデジタル記録再生する。切換え装置６４は、記録再生装置６６から再生されたデータを、分離装置６２の出力データと同様に、後述する装置６８，７２に供給する。
【００２４】
鍵分離装置７２は、切換え装置６４から供給される番組情報から共通情報及び個別情報と、スクランブルされた映像情報とを分離し、前者を鍵切換え装置７６に、後者を映像ディスクランブル祖位置７４に印加する。また、電子透かし検出器６８は、ＣＭ情報に挿入されている電子透かしを検出し、電子透かしに含まれる共通情報及び個別情報を鍵情報蓄積装置７０に蓄積する。鍵切換え装置７６は、通常の限定受信用放送の場合には、鍵分離装置７２からの共通情報及び個別情報を選択し、ＣＭ付きの放送の場合には、鍵情報蓄積装置７０に蓄積されている共通情報及び個別情報を選択し、選択した個別情報を暗号解読器７８に、選択した共通情報を暗号解読器８２に供給する。
【００２５】
暗号解読器７８は、受信装置６０に保持されるマスタ鍵Ｋｍを使って個別情報を解読し、ワーク鍵Ｋｗを暗号解読器８２に印加する。暗号解読器８２は、暗号解読器７８からのワーク鍵Ｋｗを使って、鍵切換え装置７６からの共通情報を解読し、スクランブル鍵を映像ディスクランブル装置７４に印加する。
【００２６】
映像ディスクランブル装置７４は、暗号解読器８２からのスクランブル鍵Ｋｓを使って、鍵分離装置７２からのスクランブルされた映像情報のスクランブルを解除し、ＭＰＥＧ圧縮映像情報を復号化装置８４に印加する。復号化装置８４は映像ディスクランブル装置７４からの圧縮映像情報を伸長して、映像情報を復元する。なお、復号化装置８４は、復元された映像情報にダビング防止用のプロテクトを施して出力する。
【図面の簡単な説明】
【００２７】
【図１】本発明の一実施例の送信側の概略構成ブロック図である。
【図２】本実施例のスクランブルとスクラブル鍵Ｋｓの伝送タイミングの模式図である。
【図３】本実施例の受信装置の概略構成ブロック図である。
【図４】従来例の概略構成ブロック図である。
【符号の説明】
【００２８】
１０：送信装置
１２：番組バンク
１４：ＣＭバンク
２０，２２：符号化装置
２４：制御装置
２６，２８，３０：鍵発生装置
３２，３４：暗号化装置
３６：電子透かし作成装置
３８：映像スクランブル装置
４０：多重装置
４２：切換え装置
４４：バッファメモリ
４６：電子透かし挿入装置
４８：バッファメモリ
５０：合成装置
６０：受信装置
６２：分離装置
６４：切換え装置
６６：記録再生装置
６８：電子透かし検出器
７０：鍵情報蓄積装置
７２：鍵情報分離装置
７４：映像ディスクランブル装置
７６：鍵切換え装置
７８：暗号解読器
８２：暗号解読器
８４：復号化装置
１１０：送信装置
１１２：番組情報
１１４：ＣＭ情報
１１６：切換え装置
１１８：記憶装置
１２０：符号化器
１２２：映像スクランブル装置
１２４：暗号化装置
１２６：暗号化装置
１２８：多重化装置
１３０：伝送路
１４０：受信装置
１４２：分離装置
１４４：暗号解読器
１４６：暗号解読器
１４８：映像ディスクランブル装置
１５０：復号化装置
【図１】
2005051514.tif 000003
【図２】
2005051514.tif 000004
【図３】
2005051514.tif 000005
【図４】
2005051514.tif 000006